(57)【特許請求の範囲】
【請求項１】
気体を液体中に溶解させ、気体が溶解した液体を生成する気体溶解タンクにおいて、この気体溶解タンクに流体流入部と液体流出部が形成され、前記流体流入部と前記液体流出部は離間して配置され、前記気体溶解タンクには、その内部に第１仕切り壁および第２仕切り壁が設けられ、前記第１仕切り壁は前記流体流入部側に、前記第２仕切り壁は前記液体流出部側にそれぞれ配置され、かつ前記第１仕切り壁は、前記気体溶解タンクの上壁部から前記底壁部に向かって延び、その下端は前記底壁部まで達していなく、前記第２仕切り壁は、前記気体溶解タンクの前記底壁部から前記上壁部に向かって延び、その上端は前記上壁部まで達していなく、前記第１仕切り壁および第２仕切り壁によって、前記気体溶解タンクの内部は、前記流体流入部側から前記液体流出部側にかけて気液混合槽、中間槽、気液分離槽の順に区画され、前記気液混合槽と前記中間槽が互いに連通し、前記中間槽と前記気液分離槽が互いに連通し、前記中間槽における下流側に位置する部分の断面積が、この部分よりも上流側に位置する部分の断面積よりも小さくなっていることを特徴とする気体溶解タンク。
【請求項２】
前記第１仕切り壁が、前記気体溶解タンクの上壁部から底壁部に向かってまっすぐ下方に延び、前記気液混合槽と前記中間槽を区画し、前記気液混合槽と前記中間槽は、前記気体溶解タンクの底部において互いに連通し、前記第２仕切壁は、前記底壁部から前記上壁部に向かって延び、前記中間槽と前記気液混合槽を区画し、前記中間槽と前記気液分離槽は、前記気体溶解タンクの上部において互いに連通し、前記第２仕切り壁は、上側に上がるにつれて前記中間槽側に向かって斜めに傾斜し、かつその上端部は前記第１仕切り壁と平行に配置されていることを特徴とする請求項１に記載の気体溶解タンク。
【請求項３】
前記第１仕切り壁が、前記気体溶解タンクの上壁部から底壁部に向かってまっすぐ下方に延び、前記気液混合槽と前記中間槽を区画し、前記気液混合槽と前記中間槽は、前記気体溶解タンクの底部において連通し、前記第２仕切壁は、前記底壁部から前記上壁部に向かって延び、前記中間槽と前記気液混合槽を区画し、前記中間槽と前記気液分離槽は、前記気体溶解タンクの上部において互いに連通し、前記第２仕切壁は、上側に上がるにつれて前記中間槽側に向かって斜めに傾斜していることを特徴とする請求項１に記載の溶解タンク。
【請求項４】
前記第１仕切り壁が、気体溶解タンクの上壁部から底壁部に向かって延び、前記気液混合槽と前記中間槽を区画し、前記気液混合槽と前記中間槽は、前記気体溶解タンクの底部において互いに連通し、前記第１仕切り壁は、下側に下がるにつれて前記気液混合槽に向かって斜めに傾斜し、前記第２仕切り壁は、前記底壁部から前記上壁部に向かってまっすぐ上方に延び、前記中間槽と前記気液混合槽を区画し、前記中間槽と前記気液分離槽は、前記気体溶解タンクの上部において互いに連通していることを特徴とする請求項１に記載の気体溶解タンク。
【発明の詳細な説明】
【技術分野】
【０００１】
本発明は、液体中に気体を溶解させる気体溶解タンクに関する。
【背景技術】
【０００２】
気体溶解タンクでは、水などの液体中に加圧状態において空気などの気体を溶解させ、気体が溶解した液体を生成する。この液体の生成に際し、溶解しきれなかった気体が大きな気泡として溶解タンクの外部に流出しないように、未溶解の気体を分離し、分離した気体を液体の生成に再利用したり、溶解タンクの外部に排出したりしている。
【０００３】
たとえば、下記特許文献１には、気液溶解液を生成する一次側槽と、この一次側槽内の余剰気体を分離する二次側槽とを備え、下部側に、一次側槽と二次側槽を連通し、一次側槽内で形成される気泡が通過する気泡通過部が設けられた気液溶解タンクが記載されている。この気液溶解タンクでは、また、二次側槽に、気液溶解液を排出する排出口が下部側に設けられ、その排出口が上記通過部よりも下方に形成されている。
【０００４】
上記気液溶解タンクでは、一次側槽で生成した気液溶解液が二次側槽に移動する間に微細でない気泡が二次側槽内で自然に上昇して気泡を分離する時間を増やすことができ、未溶解の気体の外部への流出を抑制することができる。
【先行技術文献】
【特許文献】
【０００５】
【特許文献１】特開２００５−９５８７８号公報
【発明の概要】
【発明が解決しようとする課題】
【０００６】
このように、特許文献１に記載された気液溶解タンクは、気体の溶解した液体を生成する際に、未溶解の気体を分離し、外部への流出を抑制することができる。しかしながら、その一方で、気泡の上昇時間をかせいで気泡を分離するために、排出口が、気泡通過部よりも下方に形成され、排出口の周辺部分である排出部が、気液溶解タンクの底部から下方に突出している。このため、気液溶解タンクでは、その高さ方向の寸法が、排出部の分だけ長くなっており、たとえば浴室などへの設置に際し、レイアウトに配慮が必要とされるという問題が指摘される。
【０００７】
本発明は、以上のとおりの事情に鑑みてなされたものであり、未溶解の気体の分離が可能であり、しかも設置の際のレイアウトが容易である気体溶解タンクを提供することを課題としている。
【課題を解決するための手段】
【０００８】
上記の課題を解決するために、本発明の気体溶解タンクは、気体を液体中に溶解させ、気体が溶解した液体を生成する気体溶解タンクにおいて、この気体溶解タンクに流体流入部と液体流出部が形成され、前記流体流入部と前記液体流出部は離間して配置され、前記気体溶解タンクには、その内部に第１仕切り壁および第２仕切り壁が設けられ、前記第１仕切り壁は前記流体流入部側に、前記第２仕切り壁は前記液体流出部側にそれぞれ配置され、かつ前記第１仕切り壁は、前記気体溶解タンクの上壁部から前記底壁部に向かって延び、その下端は前記底壁部まで達していなく、前記第２仕切り壁は、前記気体溶解タンクの前記底壁部から前記上壁部に向かって延び、その上端は前記上壁部まで達していなく、前記第１仕切り壁および第２仕切り壁によって、前記気体溶解タンクの内部は、前記流体流入部側から前記液体流出部側にかけて気液混合槽、中間槽、気液分離槽の順に区画され、前記気液混合槽と前記中間槽が互いに連通し、前記中間槽と前記気液分離槽が互いに連通し、前記中間槽における下流側に位置する部分の断面積が、この部分よりも上流側に位置する部分の断面積よりも小さくなっていることを特徴とする。
【０００９】
この気体溶解タンクにおいては、第１仕切り壁が、気体溶解タンクの上壁部から底壁部に向かってまっすぐ下方に延び、気液混合槽と中間槽を区画し、気液混合槽と中間槽は、気体溶解タンクの底部において互いに連通し、第２仕切り壁は、底壁部から上壁部に向かって延び、中間槽と気液混合槽を区画し、中間槽と気液分離槽は、気体溶解タンクの上部において互いに連通し、第２仕切り壁は、上側に上がるにつれて中間槽側に向かって斜めに傾斜し、かつその上端部は第１仕切り壁と平行に配置されていることが好ましい。
【００１０】
この気体溶解タンクにおいては、第１仕切り壁が、気体溶解タンクの上壁部から底壁部に向かってまっすぐ下方に延び、気液混合槽と中間槽を区画し、気液混合槽と中間槽は、気体溶解タンクの底部において互いに連通し、第２仕切り壁は、底壁部から上壁部に向かって延び、中間槽と気液混合槽を区画し、中間槽と気液分離槽は、気体溶解タンクの上部において互いに連通し、第２仕切り壁は、上側に上がるにつれて中間槽側に向かって斜めに傾斜していることが好ましい。
【００１１】
この気体溶解タンクにおいては、第１仕切り壁が、気体溶解タンクの上壁部から底壁部に向かって延び、気液混合槽と中間槽を区画し、気液混合槽と中間槽は、気体溶解タンクの底部において互いに連通し、第１仕切り壁は、下側に下がるにつれて気液混合槽に向かって斜めに傾斜し、第２仕切り壁は、底壁部から上壁部に向かってまっすぐ上方に延び、中間槽と気液混合槽を区画し、中間槽と気液分離槽は、気体溶解タンクの上部において互いに連通していることが好ましい。
【発明の効果】
【００１２】
本発明の気体溶解タンクによれば、未溶解の気体の分離が可能であり、しかも設置の際のレイアウトが容易となる。
【図面の簡単な説明】
【００１３】
【図１】本発明の気体溶解タンクの第１実施形態を概略的に示した断面図である。
【図２】本発明の気体溶解タンクの第２実施形態を概略的に示した断面図である。
【図３】本発明の気体溶解タンクの第３実施形態を概略的に示した断面図である。
【発明を実施するための形態】
【００１４】
図１は、本発明の気体溶解タンクの第１実施形態を概略的に示した断面図である。
【００１５】
図１に示した気体溶解タンク１は、略直方体形状を有し、底壁部２に、気体が溶解した液体３の溶媒となる水などの液体の単独または溶質となる空気などの気体と液体の気液混合流体である流体４が流入する流体流入部５が形成されている。また、底壁部２には、気体が溶解した液体３を気体溶解タンク１の外部に取り出す液体流出部６が形成されており、液体流出部６は、底壁部２において流体流入部５と離間して配置されている。流体流入部５は、流体４を圧送するポンプの吐出側に一端部が接続された流入管の他端部の接続が可能とされている。液体流出部６は、浴槽などの、気体が溶解した液体３の供給先に一端部が接続された流出管の他端部が接続可能とされている。
【００１６】
気体溶解タンク１では、内部に第１仕切り壁７および第２仕切り壁８が設けられている。第１仕切り壁７は流体流入部５側に配置され、第２仕切り壁８は液体流出部６側に配置されている。また、第１仕切り壁７は、溶解タンク１の上壁部９から底壁部２に向かって延び、第２仕切り壁８は、底壁部２から上壁部９に向かって延びている。これらの第１仕切り壁７および第２仕切り壁８によって、気体溶解タンク１の内部は、流体４の流入側から気体が溶解した液体３の流出側にかけて気液混合槽１０、中間槽１１、気液分離槽１２の順に区画されている。
【００１７】
第１仕切り壁７は、気体溶解タンク１の上壁部９から底壁部２に向かってまっすぐ下方に延びている。第１仕切り壁７の下端７ａは、底壁部２までは達していなく、このため、気液混合槽１０と中間槽１１は、気体溶解タンク１の底部において互いに連通している。第２仕切り壁８は、気体溶解タンク１の底壁部２から上壁部９に向かって延び、上側に上がるにつれて中間槽１１側に向かって斜めに傾斜している。一方、第２仕切り壁８の上端部８ａは、折れ曲がり、第１仕切り壁７と平行に配置されている。第２仕切り壁８の上端８ｂは、気体溶解タンク１の上壁部９までは達していない。このため、中間槽１１と気液分離槽１２は、気体溶解タンク１の上部において互いに連通している。
【００１８】
また、気体溶解タンク１では、気液分離槽１２における上壁部９に、フロートなどを有する気体放出弁を備えた排気部１３が設けられている。排気部１３は、中間槽１１および気液分離槽１２と連通している。
【００１９】
このような気体溶解タンク１では、気体が溶解した液体３において空気などの溶質となる気体が、あらかじめ内部に貯留されている。ポンプにより圧送される流体４は、流体流入部５を通じて気液混合槽１０に、気体溶解タンク１の上壁部９の内面に向かって噴出して流入する。このとき、流体４は、気体溶解タンク１の上壁部９や第１仕切り壁７に衝突し、はね返り、次第に気液混合槽１０に溜まっていく。また、上壁部９の内面に衝突し、はね返る流体４は、気液混合槽１０に貯留する流体の液面に衝突し、流体を撹拌する。
【００２０】
このときの撹拌などによって、気体溶解タンク１の内部に貯留していた気体と流体４が混合され、また、流体４が気液混合流体であるときには、気液混合流体中の気体も併せて混合され、気体の液体への溶解が促進され、気体が溶解した液体３が生成する。これは、撹拌による剪断によって流体に気泡として混合される気体が細分化され、流体と接触する表面積が大きくなるのに加え、液面付近における気体の溶解濃度が撹拌による均一化によって低減され、気体の液体への溶解速度が上昇することによる。
【００２１】
このようにして生成した気体が溶解した液体３は、第１仕切り壁７の下端７ａと気体溶解タンク１の底壁部２との間の隙間を流路として中間槽１１に流入し、次第に中間槽１１に溜まっていく。気体が溶解した液体３は、気体溶解タンク１の底部において中間槽１１に流入するため、気体が溶解した液体３では、大きな気泡の混入が抑制される。しかも、中間槽１１では、第２仕切り壁８が、上側に上がるにつれて中間槽１１側に向かって斜めに傾斜しているので、下流側に位置する部分の断面積が、この部分よりも上流側に位置する部分の断面積よりも小さくなっている。このため、気体が溶解した液体３が、中間槽１１において下流側から上流側に向かうにしたがって、気体が溶解した液体３中に溶解しきれずに残った未溶解の気体による気泡が、中間槽１１を上昇するにつれて第２仕切り壁８に沿って寄せ集められる。寄せ集められた気泡は、合体し、大きな気泡となる。この大きな気泡に作用する浮力は大きいので、未溶解の気体は、中間槽１１において液面から上方に抜けやすい。液面に浮上した大きな気泡は破裂し、気液分離が行われ、未溶解の気体は、気体溶解タンク１の上部に滞留する。
【００２２】
また、気体溶解タンク１では、第２仕切り壁８の上端部８ａが第１仕切り壁７と平行に配置されているので、上端部８ａに沿って上昇する気体が溶解した液体３の流れが整流される。
【００２３】
そして、中間槽１１において、気体が溶解した液体３の液面が第２仕切り壁８の上端８ｂを超えると、気体が溶解した液体３は気液分離槽１２に流入する。このように、気液分離槽１２では、第２仕切り壁８によって、気体が溶解した液体３が気体溶解タンク１から外部に流出する前に、気体が溶解した液体３の流れが気液界面である液面付近にまで持ち上げられるので、大きな気泡の浮力による上昇が促進される。しかも、気体が溶解した液体３の流れは、第２仕切り壁８の上端８ｂを乗り越える流れとなるため、液面を通過する流れとなり、気体が溶解した液体３が第２仕切り壁８を乗り越えるときにも気液分離が促進される。
【００２４】
このようにして気液分離が行われた後の気体が溶解した液体３は、気体溶解タンク１の底部から液体流出部６を通じて気体溶解タンク１の外部に流出し、取り出される。取り出された気体が溶解した液体３は、大きな気泡の混入が抑制された品質に優れたものとして浴槽などの供給先へ送り出される。
【００２５】
このように、気体溶解タンク１では、中間槽１１における下流側に位置する部分の断面積が、この部分よりも上流側に位置する部分の断面積よりも小さくなっているので、溶解しきれずに気体が溶解した液体３中に残る未溶解の気体による気泡が寄せ集められる。寄せ集められた気泡は、合体し、大きな気泡となり、大きな気泡は、液体３から作用する浮力によって上昇し、液面に向かい、液面から上方に抜くことができる。未溶解の気体の分離が、中間槽１１および気液分離槽１２の底部を下方に突出させることなく可能となる。気体溶解タンク１は、その形状が特に特殊なものではなく、浴室などへの設置に特別の配慮は必要ない。気体溶解タンク１は、設置の際のレイアウトが容易なものである。しかも、第２仕切り壁８の中間槽１１側へ向かう斜めの傾斜によって、中間槽１１における下流側に位置する部分の断面積を、この部分よりも上流側に位置する部分の断面積よりも小さくするのを容易に実現することができる。また、第２仕切り壁８の上端部８ａが、気体溶解タンク１の上壁部９から底壁部２に向かってまっすぐ下方に延びる第１仕切り壁７と平行に配置されているので、第２仕切り壁８の上端部８ａに沿って上昇する気体が溶解した液体３の流れが整流される。
【００２６】
なお、気泡が抜けることにより、中間槽１１および気液分離槽１２の上部に滞留する気体は、排気部１３から気体溶解タンク１の外部に排気することができる。排気部１３から排気した気体は、気体が溶解した液体３の生成に再利用することもできる。
【００２７】
図２は、本発明の気体溶解タンクの第２実施形態を概略的に示した断面図である。図２図中において、図１に示した第１実施形態に対応する部位には同一の符号を付し、以下ではその説明を省略する。
【００２８】
図２に示した気体溶解タンク２１では、第２仕切り壁８１において、図１に示した気体溶解タンク１と異なっている。すなわち、図２に示した気体溶解タンク２１では、第２仕切り壁８１は、上側に上がるにつれて中間槽１１に向かって斜めに傾斜しているだけであり、図１に示した第１仕切り壁７と平行に配置される上端部８ａを持たない。このような第２仕切り壁８１であっても、気体が溶解した液体３中に残存する未溶解の気体による気泡が、中間槽１１において会合しやすくなる。また、未溶解の気体の分離が、中間槽１１および気液分離槽１２の底部を下方に突出させることなく可能となる。気体溶解タンク２１は、その形状が特に特殊なものではなく、浴室などへの設置に特別の配慮は必要ない。気液溶解タンク２１は、設置の際のレイアウトが容易なものである。
【００２９】
なお、図２図中の符号８１ｂは、第２仕切り壁８１の先端を示している。
【００３０】
図３は、本発明の気体溶解タンクの第３実施形態を概略的に示した断面図である。図３図中において、図１に示した第１実施形態に対応する部位には同一の符号を付し、以下ではその説明を省略する。
【００３１】
図３に示した気体溶解タンク３１は、第１仕切り壁７１および第２仕切り壁８２において、図１に示した気体溶解タンク１と異なっている。すなわち、図３に示した気体溶解タンク３１では、第１仕切り壁７１が、下側に下がるにつれて気液混合槽１０に向かって斜めに傾斜する一方、第２仕切り壁８２が、底壁部２から上壁部９に向かってまっすぐ上方に延びている。第１仕切り壁７１の下端７１ａは、気体溶解タンク３１の底壁部２までは達してなく、第２仕切り壁８２の上端８２ｂは、気体溶解タンク３１の上壁部９までは達していない。気体溶解タンク３１においても、気液混合槽１０と中間槽１１は、気体溶解タンク３１の下部において互いに連通し、中間槽１１と気液分離槽１２は、気体溶解タンク３１の上部において互いに連通している。気体溶解タンク３１では、上記のとおりの第１仕切り壁７１および第２仕切り壁８２によって、中間槽１１における下流側に位置する部分の断面積を、この部分よりも上流側に位置する部分の断面積よりも小さくするのを容易に実現することができる。気体が溶解した液体３中に残存する未溶解の気体による気泡が、中間槽１１において会合しやすくなる。また、未溶解の気体の分離が、中間槽１１および気液分離槽１２の底部を下方に突出させることなく可能となる。気体溶解タンク３１は、その形状が特に特殊なものではなく、浴室などへの設置に特別の配慮は必要ない。気液溶解タンク３１は、設置の際のレイアウトが容易なものである。
【００３２】
なお、本発明は、以上の実施形態によって限定されるものではない。第１仕切り壁および第２仕切り壁は、傾斜ばかりでなく、第１仕切り壁の上端部を中間槽側に向かって折り曲がるような形状とすることもできる。中間槽における下流側に位置する部分の断面積が、この部分よりも上流側に位置する部分の断面積よりも小さくすることができる限り、第１仕切り壁および第２仕切り壁の形状などについては様々なものを採用することができる。
【符号の説明】
【００３３】
１、２１、３１  気体溶解タンク
２  底壁部
３  気体が溶解した液体
４  流体
７、７１  第１仕切り壁
８、８１、８２  第２仕切り壁
８ａ  上端部
９  上壁部
１０  気液混合槽
１１  中間槽
１２  気液分離槽
【図１】
0005887555.tif 000002
【図２】
0005887555.tif 000003
【図３】
0005887555.tif 000004